(57)【要約】【課題】本発明では、使用者が着座したまま座部の向きを変えることができるのは勿論、腰部を捻るといった運動が可能な健康用器具としても用いることのできる座椅子の提供を目的とする。【解決手段】座部１２Ａ，５２Ａと背凭れ部１４Ａと肘掛け部１５Ａとを備えた座椅子１１，２１，３１，４１であって、上記座部１２Ａ，５２Ａを支持する支持部１３，５３，６９を備え、上記座部１２Ａ，５２Ａ、及び、上記背凭れ部１４Ａにおける少なくとも座部１２Ａ，５２Ａが上記支持部１３，５３，６９に対して水平に回動可能とする回動支持手段３２，７４を、上記座部１２Ａ，５２Ａと上記支持部１３，５３，６９との間に備え、上記肘掛け部１５Ａを、上記座部１２Ａ，５２Ａが上記肘掛け部１５Ａとは独立して水平回動可能に上記支持部１３，５３，６９側に備えた座椅子１１，２１，３１，４１。【選択図】図２
2008161407.tif 000002
【特許請求の範囲】
【請求項１】
座部と背凭れ部と肘掛け部とを備えた座椅子であって、
上記座部を支持する支持部を備え、
上記座部が上記支持部に対して水平に回動可能とする回動支持手段を、上記座部と上記支持部との間に備え、
上記肘掛け部を、上記座部が上記肘掛け部とは独立して水平回動可能に上記支持部側に備えた
座椅子。
【請求項２】
上記背凭れ部を、上記座部が上記背凭れ部とは独立して水平回動可能に上記支持部側に備えた
請求項１に記載の座椅子。
【請求項３】
上記支持部を、上記座部を下側から支持する座部支持部により構成し、
上記背凭れ部と上記座部支持部との対向端部を枢着し、
上記背凭れ部が上記座部支持部に対して反り返り可能に該背凭れ部、及び、該座部支持部を枢支する基台を備えた
請求項２に記載の座椅子。
【請求項４】
上記回動支持手段を、上記座部の中心部よりも上記背凭れ部側に偏移させた部位に設けた
請求項１から請求項３のうちいずれか１項に記載の座椅子。
【請求項５】
上記回動支持手段を揺動中心として揺動しながら上記座部を支持する揺動支持部を、上記座部と上記座部支持部との間に設けた
請求項４に記載の座椅子。
【請求項６】
上記座部を中央に備え、上記支持部を上記座部の外側に備えて座面を構成した
請求項１、又は、請求項２に記載の座椅子。
【請求項７】
上記座部における少なくとも人体の当接部位を被覆する座面被覆部材と、上記背凭れ部における少なくとも人体の当接部位を被覆する上記背凭れ被覆部材とを備えた
請求項１から請求項６のうちいずれか１項に記載の座椅子。
【請求項８】
上記肘掛け部を、上記座部に対する高さが着座した姿勢における人体の大腿部相当の高さを確保して構成した
請求項１から請求項７のうちいずれか１項に記載の座椅子。
【発明の詳細な説明】
【技術分野】
【０００１】
この発明は、座部、背凭れ部、及び、肘掛け部とを備えた座椅子であって、座部を水平回転することのできる座椅子に関する。
【背景技術】
【０００２】
上述したような座椅子は、様々な構成のものが既に開示されており、例えば、特許文献１において「座椅子」が開示されている。
【０００３】
特許文献１における「座椅子」は、座部（１）と背もたれ（４）とを備え、背もたれ（４）は、座部（１）に対してリクライニング可能に枢着されている。さらに上記座部（１）は、座台（２）によって水平回転可能に支持されている。
【０００４】
このように「座椅子」は、背もたれ（４）が座部（１）と一体に構成されているため、背もたれ（４）は、座部（１）とともに座台（１）に対して水平回転可能に構成している。
【０００５】
しかし、特許文献１における「座椅子」は、使用者が例えば、腰部を捻る運動をしようとしても、回転方向において上半身を一定位置に固定しておくために把持する肘掛け部などの把持部が設けられていないため、使用者は、腰部を捻る運動ができなかった。
【０００６】
そもそも特許文献１における「座椅子」は、使用者が座部（１）に腰を下ろしたまま座部（１）の向きを変えることができるといった効果しか開示されていないことからも、健康用の座椅子としても用いることに着目してなされたものではないことが明らかである。
【０００７】
【特許文献１】実開平６−５２５９５号公報
【発明の開示】
【発明が解決しようとする課題】
【０００８】
そこで本発明では、使用者が着座したまま座部の向きを変えることができるのは勿論、腰部を捻るといった運動が可能な健康用器具としても用いることのできる座椅子の提供を目的とする。
【課題を解決するための手段】
【０００９】
本発明の座椅子は、座部と背凭れ部と肘掛け部とを備えた座椅子であって、上記座部を支持する支持部を備え、上記座部が上記支持部に対して水平に回動可能とする回動支持手段を、上記座部と上記支持部との間に備え、上記肘掛け部を、上記座部が上記肘掛け部とは独立して水平回動可能に上記支持部側に備えたことを特徴とする。
【００１０】
上記回動支持手段は、上記座部に対して垂直軸回りに回動自在とする手段であり、例えば、軸受けなどの公知の部材を用いて構成することができる。また、水平回動とは、上記座部に対して垂直軸回り（ヨーイング方向）の回動を示す。
【００１１】
上記肘掛け部は、上腕部を載置する一般の肘掛けの形態に限らず、上半身を回転方向において一定方向に保持しておくために把持することのできる部材であれば殊に限定しない。
【００１２】
本発明の座椅子は、上記背凭れ部を、上記座部が上記背凭れ部とは独立して水平回動可能に上記支持部側に備えて構成することができる。
【００１３】
上記構成により、座部を水平回動させても、上記背凭れ部、及び、上記肘掛け部は、回動せずに回転方向において固定された状態となる。このため、使用者は、肘掛け部を把持し、上記背凭れ部に凭れた状態となるため、上半身は、回動せずに、下半身のみを座部とともに積極的に揺動させることができ、より効果的な腰部の捩じり動作を行うことができる。
【００１４】
本発明の座椅子は、上記支持部を、上記座部を下側から支持する座部支持部により構成し、上記背凭れ部と上記座部支持部との対向端部を枢着し、上記背凭れ部が上記座部支持部に対して反り返り可能に該背凭れ部、及び、該座部支持部を枢支する基台を備えた構成であることが好ましい。
【００１５】
上記構成により、本発明の座椅子は、座椅子姿勢から座部と背凭れ部とでへの字形に屈曲した形態の反り返り姿勢へと変更することができる。
【００１６】
これにより、使用者は、腰部の捻り運動と、反り返りにより背部を伸ばす運動とを選択的に行うことができる。さらに、使用者は、反り返り姿勢の状態で、座部を水平回動させるなどして脇腹を伸ばす運動も行うことができ、１台で様々な身体部位の運動、マッサージを行うことができる。
【００１７】
本発明の座椅子は、上記回動支持手段を、上記座部の中心部よりも上記背凭れ部側に偏移させた部位に設けた構成であることが好ましい。
【００１８】
上記構成により、使用者が着座する際に座部に臀部を載置する臀部載置部位の真下側、或いは、その近傍に上記回動支持手段を設けることができ、該回動支持手段により着座した使用者をしっかりと支持することができる。さらに、腰部の捻り運動の際には、例えば、脚部を左右に揺動させることにより作用する遠心力により座部を容易に揺動させることができる。
【００１９】
さらに本発明の座椅子は、上記回動支持手段を揺動中心として揺動しながら上記座部を支持する揺動支持部を、上記座部と上記座部支持部との間に設けた構成であることが好ましい。
【００２０】
上記構成により、揺動支持部は、上記回動支持手段とともに、座部を回動支持することができる。よって、使用者が着座する際に、座部における臀部を載置する部位に関わらず、座部は、座部支持部に対してスムーズに回動させることができる。
【００２１】
また、本発明の座椅子は、上記座部を中央に備え、上記支持部を上記座部の外側に備えて座面を構成することもできる。
【００２２】
上記構成により、上記支持部と上記座部とにより１つの座面を構成することができるため、座部周辺部の厚み方向の構成を簡素に構成することができる。
【００２３】
また、本発明の座椅子は、上記座部における少なくとも人体の当接部位を被覆する座面被覆部材と、上記背凭れ部における少なくとも人体の当接部位を被覆する上記背凭れ被覆部材とを備えて構成することが好ましい。
【００２４】
上記構成により、例えば、上記座部を上記背凭れ部に対して水平回動させようとしたとき、上記座部と上記背凭れ部とを１枚の被覆部材により被覆した場合と異なり、上記座部の水平回動が阻害されることがなく、上記座部を滑らかに水平回動させることができる。
【００２５】
また、本発明の座椅子は、上記肘掛け部を、上記座部に対する高さが着座した姿勢における人体の大腿部相当の高さを確保して構成することが好ましい。
【００２６】
上記構成により、上記座部を水平回動させたとき、水平回動しない肘掛け部に、使用者の人体が当接してしまうことがなく、滑らかに水平回動させることができる。
【発明の効果】
【００２７】
本発明の座椅子は、座部とともに水平回動しないで固定された肘掛け部を使用者が把持しておくことで上半身は、左右に揺動せずに一定の方向に留めておき、肘掛け部に対して水平回動可能な下半身のみを左右に揺動させることができる。これにより、着座した状態で腰部を捻る運動を行うことができ、使用者の健康を促進することができる。
【発明を実施するための最良の形態】
【００２８】
この発明の一実施形態を、以下図面を用いて説明する。  
（第一実施形態）  
図１は、第一実施形態における座椅子１１の外観図であり、図２、及び、図３は、それぞれ第一実施形態における座椅子１１のフレーム構造を座椅子姿勢、反り返り姿勢で示した外観図である。図４、及び、図５は、それぞれ第一実施形態の座椅子１１を座椅子姿勢、反り返り姿勢で示した中央縦断面図を示す。図６は、第一実施形態における座椅子１１のフレーム構造における平面図を示す。
【００２９】
第一実施形態における座椅子１１は、図１から図５に示すように、主に座部フレーム１２（座部１２Ａ）、座部支持フレーム１３、背凭れフレーム１４（背凭れ部１４Ａ）、肘掛けフレーム１５（肘掛け部１５Ａ）、及び、基台１６から構成している。
【００３０】
上記座部フレーム１２は、図６（ａ）に示すように座部１２Ａの外郭を構成する平面視略矩形をした座部主フレーム部１７、及び、該座部主フレーム部１７の前後方向に架設された座部補強フレーム部１８を備えている。座部主フレーム部１７における背凭れフレーム１４側における幅方向の両側隅部には、それぞれＲを付した形状とした逃げ部１７ａを構成している。
【００３１】
さらに、座部１２Ａは、図４、及び、図５に示すように上述した形態の座部フレーム１２に、座面を構成する座板１９を設置して構成している。座板１９は、板状の芯材と該芯材に被覆するクッションとにより形成している。
【００３２】
また、上記座部支持フレーム１３は、座部支持フレーム１３の外郭を構成する門形（コの字形）をした座部支持主フレーム部２２、及び、座部支持主フレーム部２２に横架させた一対の座部支持補強フレーム部２３を備えている。
【００３３】
上記背凭れフレーム１４は、上記背凭れ部１４Ａの外郭を構成する門形をした背凭れ主フレーム部２４と、適宜、幅方向に横架させた背凭れ補強フレーム部２５とで構成している。
【００３４】
上記基台１６は、平面視コの字形をした基台主フレーム部２６と、前後方向の中間部において横架させた２本の基台補強フレーム部２７を備えている。上記基台主フレーム部２６の幅方向の各側における後方側は、上方斜め前方へ向けて反り返して突出した形態で形成している。
【００３５】
以上が第一実施形態における座椅子１１を構成する各フレームの構造であり、以下、各フレームどうしの結合構造について説明する。  
上記座部フレーム１２と座部支持フレーム１３とは、図４、図５の各要部拡大図に示すように、上下各側で互いに対向し、その間には、回動支持盤３２が設けられている。これにより、上記座部フレーム１２は、図６（ａ），（ｂ）に示すように、座部支持フレーム１３によって下側から支持されるとともに座部支持フレーム１３に対して垂直軸を回転軸として水平に回動可能に構成している。  
なお、殊に図６（ｂ）は、上記座部フレーム１２を座部支持フレーム１３に対して左右に揺動させた様子を示している。
【００３６】
回動支持盤３２は、固定部３２ａに対して可動部３２ｂ側が軸受けを介在させて回動自在に構成している。
【００３７】
具体的に、座部支持フレーム１３における一対の座部支持補強フレーム部２２間には、上記回動支持盤３２の固定部３２ａを固着している。一方、座部１２Ａにおける一対の座部補強フレーム部１８間には、上記回動支持盤３２の可動部３２ｂを固着している。
【００３８】
さらに、このような回動支持盤３２は、図１、図２、及び、図６（ａ）に示すように、座部１２Ａ、及び、座部支持フレーム１３における前後方向の後方側（上記背凭れ部１４Ａ側）部位に設置されている。  
また、肘掛けフレーム１５は、座椅子１１の幅方向の両側に一対、備えている。この一対の肘掛けフレーム１５は、着座した使用者の腰部相当位置で幅方向に横架させた腰当てフレーム３３の両端部に一体に連結されるとともに、基台１６の後方側から前方へ向けて突き出した形態で構成している。
【００３９】
上記肘掛け部１５Ａは、上述した肘掛けフレーム１５にクッション部材を装着して構成し、座椅子１１が座椅子姿勢、或いは、反り返り姿勢のいずれの姿勢としたときも少なくとも座部１２Ａからの高さが使用者の大腿部の高さを確保した状態で突設されている（図４中のＨ１、図５中のＨ２参照）。
【００４０】
ところで上記腰当てフレーム３３は、基台１６の後方上端部に溶着され、基台１６と一体に構成している。
【００４１】
また、座部支持フレーム１３と背凭れフレーム１４とは互いの対向端部に可動枢着部３４を介して一体に構成している。
【００４２】
さらに、上記座部支持フレーム１３と上記背凭れフレーム１４とは、それぞれ基台１６に対して上記可動枢着部３４が上下に揺動可能に枢支されている。
【００４３】
具体的に、上記背凭れフレーム１４は、基台１６における上記腰当てフレーム３３よりも後方側部位で枢支されている。なお、上記背凭れフレーム１４と基台１６との枢支部は、上記可動枢着部３４が可動している間も可動せずに固定されているため、該枢支部を、固定枢支部３８に設定する（図４，図５参照）。
【００４４】
一方、上記座部支持フレーム１３は、基台１６の前方側部位において連結リンク３９を介して枢支されている。
【００４５】
さらに、図１、図４、及び、図５に示すように第一実施形態の座椅子１１は、座椅子本体に対して取り外し可能なクッションカバー部材３５を備えている。  
上記クッションカバー部材３５は、上記座部１２Ａに取り付ける座部用カバー部材３６と、上記背凭れフレーム１４に取り付ける背凭れ用カバー部材３７との２部材から構成される。
【００４６】
これら座部用カバー部材３６は、及び、背凭れ用カバー部材３７は、いずれも、使用者が載上する側の面全体に設置可能な大きさに形成するとともに、使用者が載上する方向に沿って所定間隔ごとに縫着することにより複数に区分けし、その間にクッション材が充填された多段部を形成している。
【００４７】
これにより、座部用カバー部材３６、及び、背凭れ用カバー部材３７は、座椅子１１に取り付けた状態で、例えば、反り返り運動をしても内部のクッション材が一部に偏在してしまうことがなく、クッション性を保つことができる。
【００４８】
上記背凭れ用カバー部材３７の背面側には、下端部に開口部を有して上記背凭れフレーム１４に対して上方からはめ込み可能な大きさの取付け部３６ａを袋状に形成している。
【００４９】
このような取付け部３６ａを背凭れフレーム１４に嵌め込むことにより上記背凭れ用カバー部材３７と背凭れフレーム１４とを一体とすることができる。
【００５０】
さらに、背凭れ用カバー部材３７は、及び、座部用カバー部材３６には、それぞれ、例えば、スナップ、面ファスナ、スライドファスナ、ゴム、紐、係合部材（バックル）、これらを組み合わせて構成した部材などの固定手段を備えることができる（図示せず）。座部用カバー部材３６、及び、背凭れ用カバー部材３７は、それぞれ背凭れフレーム１４、座部フレーム１２に上記固定手段で固定して取り付ければ、より強固に取り付けることができる。
【００５１】
また、第一実施形態の座椅子１１には、座椅子姿勢、或いは、反り返り姿勢へ姿勢変更したとき、その姿勢に保つことができる一対の係合保持部材４２，４３を具備している。
【００５２】
具体的に、図４中の下側に示した要部拡大図において仮想線で示した上記一対の係合保持部材４２，４３における一方の係合保持部材４２は、他方の係合保持部材４３に係合可能な３つの係合溝４２ａ，４２ｂ，４２ｃが形成された板状の部材であり、座椅子１１を正面視したときの例えば、幅方向の右側において背凭れフレーム１４における上記可動枢着軸３４の近傍部位に枢着されている。
【００５３】
これに対して、上記一対の係合保持部材４２，４３における他方の係合保持部材４３は、上記一方の係合保持部材４２と同じ幅方向の右側において、上記係合溝４２ａ，４２ｂ，４２ｃに係合可能に一端側が突出するよう基台１６に溶着した棒状の部材である。
【００５４】
さらに、上記一方の係合保持部材４２には、第一実施形態の座椅子１１の使用者が着座、或いは、仰臥している状態においても把持可能な把持棒４２ｄを突設している。この把持棒４２ｄを操作することにより、すなわち、３つの係合溝４２ａ，４２ｂ，４２ｃのいずれか一方の係合溝を他方の係合保持部材４３に対して係脱させることにより座椅子姿勢の中でも３段階で傾斜角を調節することができる。
【００５５】
第一実施形態の座椅子１１は、上述したように構成し、以下では、第一実施形態の座椅子１１が奏する作用、効果について説明する。  
ここで、第一実施形態の座椅子１１を座椅子姿勢とした状態で、使用者が腰部の捻り運動をする際の実施例について図７を用いて説明する。  
なお、図７は、第一実施形態の座椅子１１を用いて腰部の捻り運動をする様子を示した作用説明図である。
【００５６】
第一実施形態の座椅子１１の使用者は、背凭れ部１４Ａが腰部の捻り運動をし易い所望の傾斜角度になるよう他方の係合保持部材４３を一方の係合保持部材４２の所定の係合溝に係合させておく。これにより、使用者は、座椅子１１が座椅子姿勢を保った状態で腰部の捻り動作を行うことができる。
【００５７】
使用者は、背凭れ部１４Ａにもたれ、肘掛け部１５Ａに肘をかけた状態で座椅子１１に着座する。  
ここで、第一実施形態の座椅子１１は、上述したように座部１２Ａが座部支持フレーム１３に対して水平回転自在に構成している。このため、使用者が意図的に例えば、脚部を左右に揺動させることで下半身を揺動させることができる。また、座部フレーム１２における背凭れフレーム１４側における幅方向の両側隅部には、それぞれＲを付した形状とした逃げ部１７ａを構成している。このため、座部フレーム１２を座部支持フレーム１３に対して揺動させたとき、背凭れフレーム１４に干渉して揺動が阻害されてしまうこともない。
【００５８】
さらに、第一実施形態の座椅子１１における背凭れ部１４Ａ、及び、肘掛け部１５Ａは、座部１２Ａにではなく基台１６に取り付けている。このため、背凭れ部１４Ａ、及び、肘掛け部１５Ａは、座部１２Ａとともに水平回転せずに同じ方向を向いた姿勢に保たれる。
【００５９】
よって、使用者は、肘掛け部１５Ａに上腕部を載置して背凭れ部１４Ａにもたれた状態で意図的に脚部を左右に揺動させることにより、上半身は同じ位置に留めた状態で下半身のみを左右に揺動させることができ、腰部の捻り運動を効果的に行うことができる。
【００６０】
殊に、第一実施形態の座椅子１１は、座部１２Ａ、及び、座部支持フレーム１３の回動支持盤３２を後方側部位に設けている。このため、回動支持盤３２は、座部１２Ａに着座したとき重心位置となる臀部載置部位の真下、或いは、後方側に位置し、この位置で使用者の体重をしっかりと支持することができる。しかも、回転中心となる回動支持盤３２をこのように座部１２Ａに加わる荷重の重心位置と一致、或いは、後方側に設けることにより、使用者が腰部を揺動しようとして力を入れる方向と実際に座部１２Ａが揺動する方向とを一致させることができ、座部１２Ａを揺動させ易くなる。
【００６１】
従って、使用者は、例えば、上半身の姿勢を崩してしまうことがなく、背凭れ部１４Ａに凭れた状態でもスムーズに腰部を捻ることができる。
【００６２】
さらに、第一実施形態の肘掛け部１５Ａは、座部１２Ａに着座した状態の使用者の大腿部よりも座部１２Ａに対して高くなるよう基台１６の後方側から前方へ向けて突き出して形成している。このため、座部１２Ａを左右に揺動させたとき、その間においても揺動せずに取り付けられている肘掛け部１５Ａが使用者の殊に大腿部に干渉することがなく、邪魔になることもない。
【００６３】
続いて、他の実施例として、第一実施形態の座椅子１１を、座椅子姿勢から反り返り姿勢に変換することにより使用者が仰向けに着座した状態で、背筋を伸ばす動作を行う実施例について説明する。  
まず、使用者が着座している状態で、把持棒４２ｄを把持しながら他方の係合保持部の係合溝に係合解除している一方の係止保持部材の係合を解除することにより、座部フレーム１２、及び、背凭れフレーム１４を、基台１６に対して可動自在な状態にする（図示せず）。
【００６４】
そして、使用者は、背凭れフレーム１４を後方側へ倒伏させていくことで図４に示した座椅子姿勢から図５に示すような反り返り姿勢、具体的には、座部フレーム１２が座部支持フレーム１３とともに前傾した姿勢となり、背凭れフレーム１４は、後傾した姿勢となり、互いにへの字形に屈曲した形態へと変更することができる。
【００６５】
このように座椅子１１を反り返り姿勢としたとき、図８（ａ），（ｂ）に示すように、座椅子１１に仰臥している状態の使用者の腰部が腰当てフレーム３３に当接し、背筋を伸ばすことができるとともに、腰部をより効果的にマッサージすることができる。  
なお、図８（ａ），（ｂ）は、反り返り姿勢としたときの第一実施形態における座椅子１１をそれぞれ平面図、中央縦断面図で示した作用説明図である。
【００６６】
使用者は、第一実施形態における座椅子１１を用いれば、一台で、前述した実施例のような腰部の捻り運動と、本実施例のような背筋を伸ばす運動とを選択的に行うことができる。
【００６７】
最後に、第一実施形態の座椅子１１のさらに他の実施例として前述した腰部の捻り運動と背筋を伸ばす運動とを組み合わせた運動について図９を用いて説明する。  
なお、図９は、第一実施形態の座椅子１１のさらに他の実施例についての説明図である。
【００６８】
まず、使用者は、反り返り姿勢とした座椅子１１に仰向けの状態で着座する。
【００６９】
この状態で使用者は、図９に示すように脚部を左右に揺動させることにより、座部１２Ａを回動させる。  
これにより、使用者は、腰部の捻り運動と背筋を伸ばす運動とを組み合わせた運動を同時に行うことができ、腰部の捻り運動と背筋を伸ばす運動とをそれぞれ単独で行う場合ととは全く異なる運動を行うことができる。
【００７０】
すなわち、使用者は、殊に、贅肉のつき易い脇腹を効果的に伸縮させる運動を行うことができる。
【００７１】
なお、このような運動は、使用者が側倒した状態で行うことにより、仰向けの状態で行う場合とは異なる部位のストレッチ運動も行うことができる。
【００７２】
このように第一実施形態の座椅子１１は、１台で使用者の好みに応じて腰部の捻り運動、或いは、反り返り運動を選択して行うことを可能とするとともに、上述したように、これら運動を複合させた運動を行うことができるため、腰部、背部、腹部などの様々なストレッチ運動やマッサージが可能となる。
【００７３】
また、第一実施形態の座椅子１１は、クッションカバー部材３５を背凭れ用カバー部材３７と座部用カバー部材３６との２部材で構成し、それぞれ座部フレーム１２、背凭れフレーム１４に取り付けた形態であるため、座部１２Ａが背凭れ部１４Ａに対して回動するときにクッションカバー部材３５によって回動が阻止されることがなくスムーズに回動させることができる（図９参照）。
【００７４】
次に、他の実施形態における座椅子２１，３１，４１について説明する。  
但し、以下で示す他の実施形態における座椅子２１，３１，４１の構成のうち、第一実施形態における座椅子１１と同様の構成については、同一の符号を付して、その説明を省略する。  
（第二実施形態）  
第二実施形態における座椅子２１について図１０、及び、図１１（ａ−１），（ａ−２），（ｂ−１），（ｂ−２），（ｃ−１），（ｃ−２）を用いて説明する。  
なお、図１０は、第二実施形態における座椅子２１の構成を平面図で示した構成説明図を示す。図１１（ａ−１），（ａ−２）は、それぞれ第二実施形態における座部フレーム５２の平面図、図１１（ａ−１）におけるＡ−Ａ断面矢視図である。さらに、図１１（ｂ−１），（ｂ−２）は、それぞれ第二実施形態における座部支持フレーム５３の平面図、図１１（ｂ−１）におけるＢ−Ｂ断面矢視図である。さらにまた、図１１（ｃ−１）は、図１１（ｂ−１）における領域Ｘの拡大図、図１１（ｃ−２）は、図１１（ｃ−１）のＣ−Ｃ断面矢視図である。
【００７５】
第二実施形態における座椅子２１は、上記座部１２Ａと上記座部支持フレーム５３との間における上記回動支持盤３２の前方部位（上記背凭れ部１４Ａ側とは反対側部位）に、該回動支持盤３２とともに上記座部１２Ａを支持する一対の回動支持補助部材５５，５６を備えている。
【００７６】
一対の回動支持補助部材５５，５６における一方の回動支持補助部材５５は、先端部に支持玉５５ａが枢支され、座部支持フレーム５３側へ突設している。
【００７７】
これに対して一対の回動支持補助部材５５，５６における他方の回動支持補助部材５６は、板状の部材であり、さらに詳しくは、上記一方の回動支持補助部材５５における支持玉５５ａが摺動可能に座部支持フレーム５３の上面に設置されている。
【００７８】
さらに、上記回動支持補助板の上面には、上記揺動補助支持部が揺動する軌道に沿ってガイドする扇状の溝部５６ａが設けられている。
【００７９】
上記構成により、座部１２Ａを左右に揺動させたとき、先端部に支持玉５５ａが枢支された一方の回動支持補助部材５５が、他方の回動支持補助部材５６の上面を揺動することにより、これら一対の回動支持補助部材５５，５６は、座部１２Ａの殊に前方部位を支持することができる。これにより、座部１２Ａは、座部支持フレーム５３に対して、より一層、スムーズに揺動することができる。
【００８０】
（第三実施形態）  
続いて、第三実施形態における座椅子３１について図１２（ａ），（ｂ）を用いて説明する。  
図１２（ａ），（ｂ）は、それぞれ第三実施形態における座椅子３１における座部  、及び、座部支持部  の平面図、中央縦断面図を示す。
【００８１】
上記座部７２Ａは、円環状の座部フレーム７２とその上に設置された座板７２ａとで構成し、座面の中央に備えている。
【００８２】
一方、上記座部支持部７３Ａは、上記座部フレーム７２の外周側に備えた座部支持フレーム７３とその上に設置された座板７３ａとで構成している。上記座部７２Ａの座板７２ａと上記座部支持部７３Ａの座板７３ａとは、面一になるよう形成し、第三実施形態における座椅子３１の座面を構成している。
【００８３】
上記座部フレーム７２と上記座部支持フレーム７３との間には、回動支持部材７４を介在させ、上記座部支持フレーム７３に対して上記座部フレーム７２が回動自在に構成している。
【００８４】
上記構成により、上記座部支持部７３Ａと上記座部７２Ａとにより１つの座面を構成することができるため、座部７２Ａの下側で座部支持部７３Ａにより支持する構成と比較して座部７２Ａ周辺部の厚み方向の構成を簡素に構成することができる。
【００８５】
（第四実施形態）  
次に、第四実施形態における座椅子４１について図１３（ａ），（ｂ）を用いて説明する。  
なお、図１３（ａ），（ｂ）は、それぞれ第四実施形態における座椅子４１の構成を模式的に示した中央縦断面図、左側片半分のみの正面図である。さらに、図１３（ｃ）は、前述した第一実施形態における座椅子１１の構成を模式的に示した構成図であり、図１３（ａ）で示した第四実施形態における座椅子４１の構成と対比するために示した参考図である。
【００８６】
第四実施形態における座椅子４１は、背凭れフレーム６４と座部フレーム６２とが互いの対向端部において枢着されている。さらにこれら座部フレーム６２と背凭れフレーム６４とは、基台１６に対して可動可能に枢支されている。
【００８７】
具体的に、背凭れフレーム６４は、基台１６の後端上部に枢支され、座部フレーム６２は、基台１６の前方側において連結リンク３９を介して枢支されている。
【００８８】
これにより、背凭れフレーム６４、及び、座部フレーム６２は、基台１６に対して座椅子姿勢、或いは、反り返り姿勢に変更することができる。
【００８９】
さらに、第四実施形態における座椅子４１は、基台１６のさらに下側には、床面に設置する設置台６９を具備し、基台１６と設置台６１との間には、回動支持盤３２が介在し、垂直軸まわりに水平に回動可能に構成している。
【００９０】
また、肘掛け部１５Ａは、肘掛け接続フレーム６８の一方の端部に接続され、該肘掛け接続フレーム６８の他方の端部は、設置台６９に取り付けられている。肘掛け接続フレーム６８は、他方の端部が設置台６９の前方部位から突き出し、幅方向の外側へ配した後、再び一方の端部が肘掛け可能に内側へと配している（図１３（ｂ）参照）。
【００９１】
上記構成により、使用者は、例えば、一対の係合保持部材４２，４３で座椅子姿勢に保持しておき（図示せず）、脚部を左右に揺動させることにより、座部フレーム６２を揺動させる。
【００９２】
このとき背凭れフレーム６４は、座部フレーム６２とともに、揺動させることになるが、使用者は、揺動せずに一定姿勢で固定された肘掛け部１５Ａを把持しているため、腰部の捻り運動を行うことができる。
【００９３】
さらにこのとき、肘掛け接続フレーム６８は、その長さ方向の中途部を幅方向の外側へ退避させているため、脚部を左右へ揺動させたときも座部フレーム６２、背凭れフレーム６４、さらには、使用者の身体部位が肘掛け接続フレーム６８に当接してしまうこともなく、使用者は、腰部の捻り動作ができる。
【００９４】
勿論、使用者は、第四実施形態における座椅子４１を用いて腰部の捻り動作の他にも、反り返り運動、或いは、脇腹のストレッチ運動も、適宜、行うことができる。
【００９５】
また、本実施形態の座椅子１１，２１，３１，４１は、座椅子姿勢、反り返り姿勢に変更し易いように適宜、付勢バネを備えてもよい。  
この構成を採る場合、図示しないが、例えば、第一実施形態における座椅子の構成においては、基台１６の後方側部位と座部フレーム１２、或いは、座部支持フレーム１３の前方側部位との間で付勢バネを張架させればよい。
【００９６】
さらにまた、本実施形態の座椅子１１，２１，３１，４１は、回動支持盤３２、或いは、回動支持部材７４の回動を規制する回動規制手段を設けてもよい。これにより、座部が不用意に回動しないよう一定の姿勢に保つことができる。
【００９７】
また、上述の実施形態と、この発明の構成との対応において、この実施形態の
座部支持フレーム１３，５３、又は、設置台６９は、この発明の支持部に対応し、以下同様に、
座部支持フレーム１３，５３は、座部支持部に対応し、
回動支持盤３２、又は、回動支持部材７４は、回動支持手段に対応し、
回動支持補助部材５５，５６は、揺動支持部に対応し、
座部用カバー部材３６は、座面被覆部材に対応し
背凭れ用カバー部材３７は、背凭れ被覆部材に対応するも、
この発明は、上述の実施形態の構成のみに限定されるものではなく、上述したように多くの実施の形態を得ることができる。
【図面の簡単な説明】
【００９８】
【図１】第一実施形態の座椅子の座椅子姿勢における外観図。
【図２】第一実施形態の座椅子のフレーム構造を座椅子姿勢で示した外観図。
【図３】第一実施形態の座椅子のフレーム構造を反り返り姿勢で示した外観図。
【図４】第一実施形態の座椅子の座椅子姿勢における中央縦断面図。
【図５】第一実施形態の座椅子の反り返り姿勢における中央縦断面図。
【図６】第一実施形態の座椅子のフレーム構造を示す平面図。
【図７】第一実施形態の座椅子における作用説明図。
【図８】第一実施形態の座椅子における作用説明図。
【図９】第一実施形態の座椅子における作用説明図。
【図１０】第二実施形態の座椅子の平面図。
【図１１】第二実施形態の座椅子の要部における構成説明図。
【図１２】第三実施形態の座椅子の要部における構成説明図。
【図１３】第四実施形態の座椅子の構成説明図。
【符号の説明】
【００９９】
１１，２１，３１，４１…座椅子
１２Ａ，５２Ａ…座部
１４Ａ…背凭れ部
１５Ａ…肘掛け部
１６…基台
１２，５２，６２…座部フレーム
１３，５３…座部支持フレーム
１４，６４…背凭れフレーム
１５…肘掛けフレーム
３２…回動支持盤
３６…座部用カバー部材
３７…背凭れ用カバー部材
５５，５６…回動支持補助部材
６９…設置台
７４…回動支持部材
【図１】
2008161407.tif 000003
【図２】
2008161407.tif 000004
【図３】
2008161407.tif 000005
【図４】
2008161407.tif 000006
【図５】
2008161407.tif 000007
【図６】
2008161407.tif 000008
【図７】
2008161407.tif 000009
【図８】
2008161407.tif 000010
【図９】
2008161407.tif 000011
【図１０】
2008161407.tif 000012
【図１１】
2008161407.tif 000013
【図１２】
2008161407.tif 000014
【図１３】
2008161407.tif 000015